(57)【要約】【課題】肌に直接接触して、汗を体外に輸送して優れたフィット感と好適な温度保護を確保することが可能なサイクリングジャージを提供する。【解決手段】サイクリングウェアであって、このウェアは、外側織物層で実現される構造を有し、さらに外側層とは異なる通気特性を有する内側織物層を備えるジャージ、ジャケット又はベストであって、内側層は外側層に内部で結合し、サイクリングウェアの少なくとも一部の内側ライニングを形成する。【選択図】図１
2016211135.tif 000002
【特許請求の範囲】
【請求項１】
サイクリングウェアであって、
前記サイクリングウェアは、外側織物層（４）で実現される構造を有し、さらに前記外側織物層とは異なる通気特性を有する内側織物層（５）を備えるジャージ、ジャケット又はベスト（１）であって、
前記内側織物層は前記外側織物層に内部で結合し、前記サイクリングウェアの少なくとも一部の内側ライニングを形成する、サイクリングウェア。
【請求項２】
前記内側織物層（５）は前記外側織物層に永久的に固定されている、請求項１に記載のサイクリングウェア。
【請求項３】
前記内側織物層（５）は肌への接触に好適なベース層である、請求項１又は請求項２に記載のサイクリングウェア。
【請求項４】
前記内側織物層（５）は、前記外側織物層の前面部（７）と側面部（８）のみを内張りするようになっている、請求項１〜請求項３のいずれか１項に記載のサイクリングウェア。
【請求項５】
前記外側織物層と前記内側織物層は、折り目やしわを生じることなく互いに密着するように適切な親和性を有する織物でできている、請求項１〜請求項４のいずれか１項に記載のサイクリングウェア。
【請求項６】
前記外側織物層と前記内側織物層の弾性係数は等しいか実質的に等しい、請求項４又は請求項５に記載のサイクリングウェア。
【請求項７】
前記内側織物層（５）はメッシュ生地で作られている、請求項６に記載のサイクリングウェア。
【請求項８】
前記内側織物層はポリプロピレン系材料で作られている、請求項７に記載のサイクリングウェア。
【請求項９】
前記外側織物層は、ポリアミド／エラステーン系又はポリエステル／エラステーン系混合物で作られている、請求項７又は請求項８に記載のサイクリングウェア。
【発明の詳細な説明】
【技術分野】
【０００１】
本発明はサイクリングウェアに関し、特にサイクリングジャージに関する。
【背景技術】
【０００２】
サイクリングウェアは異なる気象条件での使用に対して異なる様式で製造される。サイクリングウェア、特にジャージ（ｊｅｒｓｅｙ）、ジャケット又はベストは、外気因子を遮蔽することが必要であり、同時に全力走行しているときにライダーがさわやかかつ快適であるようにしなければならない。サイクリング専用にデザインされた既知のウェアは、外的要素から確実に保護するのに適した材料で作られた単層構造となっているが、これは通気性と透過性が乏しくて、肌に直接接触するには適していない。スポーツ用衣料、特にサイクリングなどの有酸素運動の分野においては、肌に接触する層は一般的にベース層と呼ばれ、非常に重要であると考えられている。具体的にはベース層は、熱的な快適さを提供でき、かつ汗（水蒸気）を体から輸送して常に除去されているようにできなければならない。
【０００３】
例えば従来の夏用ジャージは、一般的に軽く、同時に外的要素から保護するようにデザインされているが、ユーザの体から汗を効率よく取り去るという上記の要求は満たすことができない。汗の蓄積は不快と能力低下の源である。さらには、外気が濡れたジャージに当たるので、ライダーは強い冷却に曝される。これがさらに不快感の源となる。そのような冷却に最も強く曝される体の部分は、大面積が空気に直接さらされかつ寒さに対する感受性が高い胴である。
【０００４】
上記の問題に対処するために、サイクリストがよく用いる方法は、スポーツジャージの下にアンダーウェアを利用することである。アンダーウェアは通常汗を体外に輸送して外側のジャージを乾燥状態に保つことが期待される。
【０００５】
しかしこの方法では最適な結果を得ることができない。高度な技術によるウェアの性能は、低品質及び／又は適正でない材料で作られたアンダーウェアによって負の効果を受けることがある。特にアンダーウェアの性質（例えば弾性や通気性など）とウェアの性質とが適切に合わない場合に、そういうことが起きる。例えば、アンダーウェアの弾性がアウターウェアとは異なっていると、走行に対する反応が異なり、折り目やしわを生じる。これがサイクリストの肌をこすって不快感や痛みを生じ、皮膚への密着性や空気力学などのアウターウェアのいくつかの特徴を劣化させてしまうこともある。さらに、アウターウェアにアンダーウェアを足すという方法は、２片の衣類を利用するということであり、現実的ではない。
【発明の概要】
【発明が解決しようとする課題】
【０００６】
本発明の目的は従来技術における上記の問題に対する解決策を提供することである。
【課題を解決するための手段】
【０００７】
本発明の基本となる考えは、肌に直接接触して、汗を体外に輸送して優れたフィット感と好適な温度保護を確保することが可能な、一体のベース層として作用するように適応された内側ライニングを有するサイクリングジャージを提供することである。
【０００８】
この目的は、外側織物層で実現される構造を有し、外側層とは異なる通気特性を有する内側織物層をさらに備えるジャージ、ジャケット又はベストであるサイクリングウェアであって、内側層が外側層に内部で結合されてサイクリングウェアの少なくとも一部の内側ライニングを形成するサイクリングウェアによって達成される。
【０００９】
簡単のために以後、“ジャージ”という用語を使用する。ただし本発明では、より一般的に、ジャージ、ジャケット又はベストを指しているものと理解されたい。
【００１０】
内側層は外側層に永久的に固定されている。好ましくは内側層が外側層の内側で縫合されている。
【００１１】
いくつかの実施形態では、内側層はジャージの選択された部分しか覆わない。したがって、本発明の利点はベース層の必要性がより高い部分にだけ内側層が戦略的に配置されることである。したがって、軽さと性能との最適な折衷がなされている。より好ましくは、外側層の前面部と側面部を内部から裏張りするようにこの内側層が設けられている。その結果、使用時にこの内側層はサイクリストの胴（すなわち体の前面部分）と、尻と腋の間の領域（すなわち体の側面部分）とを覆う。これらは多量の汗にさらされる体の部分であり、また風や雨などの外的要素から保護されなければならない部分である。出願者は体の上記の部分を裏張りすることで最適な効果が得られ、背中の裏張りなしで済まされることを見出した。これは内側層（ベース層）を特に必要とされるところに配置するということであり、本発明の利点である。
【００１２】
好ましくはこの内側層は外側層よりも大きな通気性を有する。したがって、肌に接触する内側層は、より多くの汗を体外へ輸送することができる。
【００１３】
２つの層の間で異なる通気性とすることは、別の織物とするか又は織物は同じで厚さ及び／又は処理を変えるかして実現し得る。
【００１４】
さらにより好ましくは、これらの層は適当な親和性を持つ織物で作られ、折り目やしわを生じることなく互いに密着して、汗が内側層から外側層へ効率的に輸送されるようになっている。好ましくはこれらの層は同一または類似の弾性定数を持っている。似た弾性を持つ層であれば、サイクリストの体の肌に完全に密着したままでいることができ、衣類の別々の構成片の相性の悪さのために折り目を生じるという問題を解消できる。
【００１５】
より好適には肌に接触するための内側層は、ポリプロピレン系材料でできている。外気因子に対するバリアとして作用するための外側層は、好ましくはより抵抗の大きい材料、例えばポリアミド／エラステーン系又はポリエステル／エラステーン系の混合物でできている。
【００１６】
好ましくは内側層が、必要とされる通気性と透過性を確保できるメッシュ生地で実現される。
【００１７】
本発明の大きな利点は、肌に接触するベース層がジャージに一体化されていることである。従来技術の単層構造に替わって、本発明では、外側層が内側層とベース層で２重化され、汗の除去に極めて重要な場所にベース層が配分された２層構造が提供される。そうして、本発明によるジャージは、ユーザが全力走行するときに効率的に汗を除去し、肌を乾燥状態に維持し、体温を一定に維持することが可能であり、最大能力の達成に要求される肌への完全な密着性を確保することができる。汗を取り除いて体外へ輸送する能力は、“ウィッキング（ｗｉｃｋｉｎｇ）”とも呼ばれる。内側層はまた最適な熱的保護を提供する。これは必要箇所、具体的には胴の上に集中して配置される。本発明によるジャージの別の利点は、アンダーウェアを必要としない単一のウェアを着用することによるより大きな快適性とより高い実用性である。
【００１８】
本発明の更なる特徴と利点は、本発明のサイクリングジャージの好適な実施形態を示す図１を参照した以下における好適な実施形態の説明によってより明らかとなるであろう。
【図面の簡単な説明】
【００１９】
【図１】半袖２と前面ジップファスナ３を持つ開放型サイクリングジャージ１を示す図である。
【発明を実施するための形態】
【００２０】
ジャージ１は夏用の半袖ジャージであるが、これは本発明を限定するものではない。
【００２１】
ジャージ１は、外側織物層４とベース層として作用する内側織物層５とからなっている。
【００２２】
内側層５は、外側層４の内側において縫目６で縫合される。
【００２３】
内側層５は外側層４の内側を部分的に裏張りする。図の実施例では、その内側層５は胴部７と側面部８から成る。ジャージ１を着用した場合、側面部８は尻と腋の間に延在し、ユーザの胴と背中の側面部分を取り巻く。反対に、カラー部９、袖部２及び背部１０にはこの内側層４による裏張りはない。
【００２４】
ジャージの外側層４は、例えばポリアミド又はポリエステル混紡のエラステーンなどで、好ましくは内側層５に使用される織物よりも抵抗の大きい、好適な弾性織物で作られている。その内側層５は例えばポリプロピレンのメッシュ生地で実現されており、これによって内側層５は外側層４よりも高い通気性を持ち、肌に直接接触する層（ベース層）として好適となる。
【００２５】
このように本発明は、全力走行時の使用に特に好適なウェアを提供して、上記の目的を達成する。
【図１】
2016211135.tif 000003